(57)【要約】【課題】ストレートライン、スライスライン、および、フックラインの設定と、それぞれのラインにおける上り下りの設定が行なえ、かつ、これらの設定を簡便な構成によって可能にするゴルフのパッティング器具を提供することを課題とする。【解決手段】パッティング面Ｆを形成する平板状のベースプレート２と、このベースプレート２の一端部を、所定高さに保持するとともに、回動可能に支持する固定部材３と、前記ベースプレート２の他端部の下面に介装されて、このベースプレート２の他端部の高さを調整することにより、前記ベースプレート２の傾斜を調整する傾斜調整部材４とによって構成されている。【選択図】図１
2015119916.tif 000002
【特許請求の範囲】
【請求項１】
ゴルフのパッティング面を形成する平板状のベースプレートと、このベースプレートの一端部を、所定高さに保持するとともに、回動可能に支持する固定部材と、前記ベースプレートの他端部の下面に介装されて、このベースプレートの他端部の高さを調整することにより、前記ベースプレートの傾斜を調整する傾斜調整部材とからなることを特徴とするゴルフのパッティング練習器具。
【請求項２】
前記ベースプレートの上面に、前記パッティング面を形成するとともに、ゴルフボールに転がり抵抗を付与する被覆材を敷設してなることを特徴とする請求項１に記載のゴルフのパッティング練習器具。
【請求項３】
前記被覆材が、着脱可能となされていることを特徴とする請求項２に記載のゴルフのパッティング練習器具。
【請求項４】
前記パッティング面の少なくとも一端部に、カップ位置を示す目印が設けられていることを特徴とする請求項１ないし請求項３の何れかに記載のゴルフのパッティング練習器具。
【請求項５】
前記目印が、複数設けられていることを特徴とする請求項４に記載のゴルフのパッティング練習器具。
【発明の詳細な説明】
【技術分野】
【０００１】
本発明は、ゴルフのパッティング練習器具に係わり、特に、屋内等の狭い場所で有効に用いられるパッティング練習器具に関するものである。
【背景技術】
【０００２】
ゴルフ練習の一つとしてパッティング練習があり、このパッティング練習は、カップまでの距離感や、スライスラインあるいはフックライン等の曲がりのラインの感覚を掴むために行なわれる。
【０００３】
また、パッティング練習は、練習場等の特定の施設を利用することなく、室内等において手軽に行なえるが、この場合、ゴルフボールを直線的に打ち出すストレートラインの練習における距離感を掴む練習に限られてしまう。
【０００４】
このために、たとえば、特許文献１に示されるように、パッティング面を形成するプレートの一側部に、この側部の高さを調整する複数の上下機構を設け、これらの上下機構によって前記プレートを傾斜させておき、この傾斜によって、打ち出されたボールに曲がりを生じさせるようなパッティング練習器具が提案されている。
【先行技術文献】
【特許文献】
【０００５】
【特許文献１】実開平６−４１７６４号公報
【発明の概要】
【発明が解決しようとする課題】
【０００６】
前述した従来の技術によって、スライスラインやフックラインといった曲がりのラインに対する練習を行なうことができるようになったが、なお、つぎのような改善すべき問題点が残されている。
【０００７】
すなわち、前述した技術においては、パッティング面が常に傾斜した状態であることから、直線的なストレートラインの練習が行なえない。
また、アドレス位置とカップ位置とが略同一高さにあるため、登りあるいは下りのスライスライン若しくはフックラインへの対応ができず、かつ、その傾斜量の調整ができないといった問題点である。
【０００８】
そして、従来の技術において、前述したストレートラインの練習を行なうには、前記パッティング面を水平状態にしなければならない。
【０００９】
しかしながら、前記パッティング面を水平にするためには、前記上下機構と反対側にも上下機構を設ける必要があり、器具を構成する部品点数が増加し、これに伴い、構造が複雑になり、かつ、調整操作が煩雑になるといった問題点を生じる。
【００１０】
本発明は、前述した従来の技術において残されている問題点を解決するためになされたもので、パッティング練習において、ストレートライン、スライスライン、および、フックラインの設定と、それぞれのラインにおける上り下りの設定が行なえ、かつ、これらの設定を簡便な構成によって可能にするゴルフのパッティング器具を提供することを解決すべき課題とする。
【課題を解決するための手段】
【００１１】
本発明のゴルフのパッティング練習器具は、前述した課題を解決するために、ゴルフのパッティング面を形成する平板状のベースプレートと、このベースプレートの一端部を、所定高さに保持するとともに、回動可能に支持する固定部材と、前記ベースプレートの他端部の下面に介装されて、このベースプレートの他端部の高さを調整することにより、前記ベースプレートの傾斜を調整する傾斜調整部材とからなることを特徴とする。
【００１２】
本発明では、前記ベースプレートの一端部が前記固定部材に回動可能に指示されていることにより、前記傾斜調整部材を前記ベースプレートの他端部下面に介装することにより、このベースプレートの傾斜を容易に調製することができる。
【００１３】
そして、前記ベースプレートを水平状態に保持した状態でパッティングを行なうと、パッティング方向にかかわりなく、ストレートラインの練習を行なうことができる。
【００１４】
前記傾斜調整部材を取り替えて、前記ベースプレートの他端部を低くすることにより、このベースプレートを傾斜させた状態に保持することができる。
この状態で、下方にアドレスすることによって登りのパット練習が行なえ、上方にアドレスすることによって下りのパット練習が行なえ、かつ、傾斜方向にパッティングを行なう場合にはストレートライン、傾斜方向と交差する方向にパッティングを行なう場合には、その交差方向によってスライスラインとフックラインのそれぞれの練習が行なえる。
【００１５】
これらの多彩なパッティングラインの設定を、前記傾斜調整部材を取り替えるといった簡便な操作によって行なうことができる。
また、前述したように取り替えられる傾斜調整部材を、高さを変更するだけで簡便に形成することができるので、構成を簡素化することができる
【００１６】
そして、前記ベースプレートの上面に、前記パッティング面を形成するとともに、ゴルフボールに転がり抵抗を付与する被覆材を敷設することができる。
【００１７】
このような構成とすることにより、より実際に近いパッティングを体感することができる。
【００１８】
前記被覆材を着脱可能とすることにより、この被覆材の劣化時の交換や、汚れた際の洗浄を可能にし、あるいは、パッティング時のゴルフボールの転がり具合を変化させる（いわゆるグリーンの速さを変化させる）ことができる。
【００１９】
また、前記パッティング面の少なくとも一端部に、カップ位置を示す目印を設けておき、パッティングの精度を確認できるようにすることもでき、この目印を、複数設けるようにしてもよい。
【発明の効果】
【００２０】
本発明によれば、ゴルフのパッティング練習において、登り下りのみならず、これに、ストレートライン、スライスライン、および、フックラインを組み合わせた多彩なラインを簡便な構成によって設定することができる。
【図面の簡単な説明】
【００２１】
【図１】本発明の一実施形態を示す外観斜視図である。
【図２】本発明の一実施形態を示す正面図である。
【図３】本発明の一実施形態の使用形態を示す平面図である。
【図４】本発明の一実施形態の使用形態を示す正面図である。
【図５】本発明の一実施形態の使用形態を示す平面図である。
【図６】本発明の一実施形態の使用形態を示す平面図である。
【図７】本発明の一実施形態の使用形態を示す平面図である。
【図８】本発明の変形例を示す，要部の拡大縦断面図である。
【発明を実施するための形態】
【００２２】
以下、本発明の一実施形態について、図面を参照して説明する。
図１中、符号１は、本実施形態に係わるゴルフのパッティング練習器具（以下、練習器具と略称する）を示し、この練習器具１は、パッティング面Ｆを形成する平板状のベースプレート２と、このベースプレート２の一端部を、所定高さに保持するとともに、回動可能に支持する固定部材３と、前記ベースプレート２の他端部の下面に介装されて、このベースプレート２の他端部の高さを調整することにより、前記ベースプレート２の傾斜を調整する傾斜調整部材４とによって構成されている。
【００２３】
さらに詳述すれば、前記ベースプレート２は、プレーヤーの体重を十分に支持できる材料によって略長方形状に形成されており、その長さ方向一端部の下面と前記固定部材３とが、前記ベースプレート２の幅方向において重畳するように嵌合させられており、これらの重畳部分を貫通するように枢軸５が嵌挿されることにより、相互に回動可能に連結されている。
【００２４】
前記ベースプレート２の外周部には、このベースプレート２の上面よりも突出させられた周部材６が取り付けられている。
この周部材６は、前記パッティング面Ｆからゴルフボールがこぼれることを防止するために設けられたものである。
【００２５】
前記ベースプレート２の上面には、本実施形態においては、前記パッティング面Ｆを形成するとともに、ゴルフボールに転がり抵抗を付与する被覆材７が敷設されており、この被覆材７は、好ましくは、着脱可能となされる。
【００２６】
そして、前記被覆材７は、フェルト若しくは人工芝が用いられ、前述したように、着脱可能とすることにより、汚れた際の洗浄、劣化時や損傷時の取り替え、若しくは、その材質や形状を変更してゴルフボールの転がり具合を変更することを可能にする。
【００２７】
また、本実施形態においては、前記被覆材７の長さ方向の両端部上面に、カップ位置を示す目印Ａ１・Ａ２・Ａ３・Ｂ１・Ｂ２・Ｂ３が設けられている。
【００２８】
これらの目印Ａ１・Ａ２・Ａ３・Ｂ１・Ｂ２・Ｂ３は、前記被覆材７および前記ベースプレート２を貫通して有底筒状のカップを装着することによって形成することも可能である。
【００２９】
ついで、このように構成された本実施形態の練習器具１の使用形態について説明する。
まず、前記傾斜調整部材４を選択して前記ベースプレート２の他端部下面に介装することにより、このベースプレート２を、図２に示すように、水平状態に保持する。
【００３０】
この状態で、パッティングを行なうと、前記ベースプレート２が水平であることから、パッティングラインは、スタンス位置にかかわらす、前記パッティング面Ｆの全ての部位において、矢印で示すように、ストレートラインとなる。
【００３１】
そして、登りや下り、スライスライン、フックライン等のパッティングラインを作り出すには、図４に示すように、低い傾斜調整部材４を用いて、前記ベースプレート２の他端部を低くする。
【００３２】
これによって、前記目印Ａ１・Ａ２・Ａ３が高い位置に位置させられ、前記目印Ｂ１・Ｂ２・Ｂ３が低い位置に位置させられる。
【００３３】
ここで、たとえば、スタンス位置を目印Ａ３として、傾斜方向と交差する方向にずれた位置の目印Ｂ１・Ｂ２へ向けてパッティングを行なう場合には、パッティングラインは、図５に矢印（イ）（ロ）で示すように、フックラインでかつ下りとなり、傾斜方向に位置するＢ３へ向けてパッティングを行なう場合には、矢印（ハ）で示すように、ストレートラインでかつ下りとなる。
【００３４】
また、図６に示すように、スタンス位置を目印Ａ２として、傾斜方向と交差する方向にずれた位置の目印Ｂ１へ向けてパッティングを行なう場合には、パッティングラインは、矢印（ニ）で示すように、フックラインでかつ下りとなり、傾斜方向に位置するＢ２へ向けてパッティングを行なう場合には、矢印（ホ）で示すように、ストレートラインでかつ下りとなり、前記目印Ｂ１と逆方向に位置する目印Ｂ３へ向けてパッティングを行なう場合には、パッティングラインは、矢印（ヘ）で示すように、スライスラインでかつ下りとなる。
【００３５】
さらに、図７に示すように、スタンス位置を目印Ａ１として、傾斜方向に位置するＢ１へ向けてパッティングを行なう場合には、矢印（ト）で示すように、ストレートラインでかつ下りとなり、傾斜方向と交差する方向にずれた位置の目印Ｂ２・Ｂ３へ向けてパッティングを行なう場合には、パッティングラインは、矢印（チ）（リ）で示すように、スライスラインでかつ下りとなる。
【００３６】
そして、スタンス位置を目印Ｂ１・Ｂ２・Ｂ３側へ移して目印Ａ１・Ａ２・Ａ３側へ向けてパッティングをすれば、登りのストレートライン、スライスライン、フックラインが形成される。
【００３７】
前述した例は、右利きの場合を示してあり、左利きの場合では、実際のバッティングラインは同じであるが、そのスライスラインとフックラインの呼び方が逆になる。
【００３８】
なお、前記実施形態において示した各構成部材の諸形状や寸法等は一例であって設計要求等に基づき種々変更可能である。
【００３９】
たとえば、前記ベースプレート２の一端面を前記固定部材３の側面に突き合わせて、この突き合わせ部において両者を回動可能に連結してもよく、また、その連結に、市販の蝶番を用いることも可能である。
【００４０】
前者の場合には、前記ベースプレート２と固定部材３との連結部の位置を低く抑えることで、練習器具１の全体的な高さを低くすることができる。
また、後者の場合には、既成の部材を使用することにより、製造コストの低減を図ることができる。
【００４１】
そして、何れの連結構造においても、このベースプレート２と前記固定部材３との突き合わせ部が露出し、かつ、前記ベースプレート２の回動時に、前記突き合わせ部が開閉して異物を挟み込むことが想定されるため、この連結部を覆うカバー等を設けることが望まれる。
【００４２】
また、練習器具１の設置面が平らでない場合、あるいは、設置面の傾斜が許容範囲を超えている場合に対応するために、前記固定部材３や傾斜調整部材４の下部に、たとえば、図８に示すように、高さ調整ボルトＬ等の高さ調整部材を設けておくことも可能である。
そして、この高さ調整機構の設置位置は、前述した前記固定部材３や傾斜調整部材４の下部以外に、これらの側部に設けることも可能である。
【符号の説明】
【００４３】
１  ゴルフのパッティング練習器具（練習器具）
２  ベースプレート
３  固定部材
４  傾斜調整部材
５  枢軸
６  周部材
７  被覆材
Ａ１  目印
Ａ２  目印
Ａ３  目印
Ｂ１  目印
Ｂ２  目印
Ｂ３  目印
Ｆ  パッティング面
Ｌ  高さ調整ボルト
【図１】
2015119916.tif 000003
【図２】
2015119916.tif 000004
【図３】
2015119916.tif 000005
【図４】
2015119916.tif 000006
【図５】
2015119916.tif 000007
【図６】
2015119916.tif 000008
【図７】
2015119916.tif 000009
【図８】
2015119916.tif 000010